(57)【特許請求の範囲】
【請求項１】
発光体の照射側に配置され前記発光体の発する光を反射する反射部であって、光の照射方向が開口している反射部と、
前記反射部の内側に設置され、検知方向を前記光の照射方向側に向くセンサ部と、
を有し、
前記センサ部は、突形状であり、前記反射部の内側に設けられたセンサ取付面から露出していると共に先端部が前記開口から前記発光体の側に配置されており、
前記センサ部は、検知範囲が前記開口の周縁部により遮られない位置であって、前記検知範囲が前記センサ部の露出部分のうち最も前記周縁部に近い露出部分と前記周縁部とを結ぶ線より内側に収まる位置に設置された照明器具。
【請求項２】
前記先端部が前記開口の周縁部により形成される面と略同一面上に配置される請求項１に記載の照明器具。
【請求項３】
前記センサ部は、前記反射部の内側に設置された状態で、前記反射部の内側において前記先端部の位置を移動させるスライド機構を備えている請求項１または２に記載の照明器具。
【請求項４】
前記センサ部は、前記スライド機構により、前記先端部の位置を照射方向および発光体方向に移動させる請求項３に記載の照明器具。
【請求項５】
前記センサ部は、光の性能を妨げないよう側方に立設するセンサ取付部立接面を備えている請求項１から４のいずれか１項に記載の照明器具。
【発明の詳細な説明】
【技術分野】
【０００１】
本発明は、例えば、センサ付照明器具に関するものであり、特にＬＥＤ（Ｌｉｇｈｔ  Ｅｍｉｔｔｉｎｇ  Ｄｉｏｄｅ）を光源とするセンサ付照明器具に関するものである。
【背景技術】
【０００２】
センサ付照明器具において、センサを制御する制御操作部の位置がグレアカット角より奥の反射板内面に配置された照明器具がある（例えば、特許文献１参照）。
【先行技術文献】
【特許文献】
【０００３】
【特許文献１】特開２００２−１５７９１６号公報
【特許文献２】特開平１０−２５５５２１号公報
【特許文献３】特開平１０−３４０６１６号公報
【特許文献４】特開２００６−８０００７号公報
【特許文献５】国際公開第２００７／０９９８６０号
【特許文献６】特開２００３−１４１９２６号公報
【発明の概要】
【発明が解決しようとする課題】
【０００４】
従来のセンサ付照明器具では、センサ回路基板やセンサ制御回路基板等が深い（長い）反射板の反射面に沿わせて搭載されている。これは、光源が白熱電球や蛍光ランプ等である照明器具では、光源自体の長さ（高さ）が比較的長いため、反射板も高さ方向に余裕を持たせているためである。このような照明器具では、高さ方向に余裕があるため、反射板に沿った内面及び外面の奥に、操作者がセンサの制御情報を操作するための操作部が設けられている。
【０００５】
しかしながら、ＬＥＤ（発光ダイオード）やＥＬ（エレクトロルミネッセンス）などを光源とする照明器具では、白熱電球や蛍光ランプに代表されるこれまでの光源のように光源全てを包み込むような深い反射板は必要ない。それは、ＬＥＤやＥＬなどを光源とする照明器具では、光源部分が小型（薄型）になるとともに、浅型の反射板となるためである。このような浅型の反射板では、反射板の反射面に沿った面に操作部を設けることは難しく、操作部の操作性が劣ってしまうという課題がある。
【０００６】
また、反射板の反射面に沿った奥の位置に操作部を備える照明器具では、どのように操作部が設定されているかを確認するため、ユーザは照明器具に近付いて反射板の奥にある操作部を確認しなければならない。このため、ユーザは、高い台などに登って、高い位置に取り付けられている照明器具の反射板内部の操作部を確認する必要があった。
【０００７】
また、操作部が反射板の奥まった位置に設けられ、人感センサと操作部とが同一面ではなかったため、センサ用基板と操作部用基板の２枚の基板が必要であったため、コストアップ及び組立性に課題があった。
【０００８】
本発明は、光源の照射軸方向に略垂直な面に操作部を備え、センサ部の設定変更を容易にするとともに、センサ部の設定値等の目視確認を容易にすることを目的とする。
【課題を解決するための手段】
【０００９】
本発明に係る照明器具は、発光体の照射側に配置され前記発光体の発する光を反射する反射部であって、光の照射方向が開口している反射部と、
前記反射部の内側に設置され、検知方向を前記光の照射方向側に向くセンサ部と、
を有し、
前記センサ部は、突形状であり先端部分が前記開口より前記発光体の側に配置される、
ことを特徴とする。
【発明の効果】
【００１０】
本発明に係る照明器具によれば、発光体の照射側に配置され発光体の発する光を反射する反射部であって、光の照射方向が開口している反射部と、反射部の内側に設置され、検知方向を光の照射方向側に向くセンサ部とを有し、センサ部は、突形状であり先端部分が開口より発光体の側に配置されるので、センサ部の破損を防ぎつつ、センサ部の目視確認を容易とすることができるという効果を奏する。
【図面の簡単な説明】
【００１１】
【図１】本実施の形態を示す照明器具１０００の斜視図である。
【図２】図１の照明器具１０００を照射方向側から見たときの下視図である。
【図３】図２の照明器具１０００のＡ−Ａ断面を示すＡ−Ａ断面図である。
【図４】反射ユニット２００を反射部２１０の外側から見た上視図である。
【図５】（ａ）が図４に示すセンサユニット３００の正面図、（ｂ）がセンサユニット３００を短辺方向から見た側面図、（ｃ）（ｄ）がセンサユニット３００を長辺方向から見た側面図、（ｅ）がセンサユニット３００の背面を示す背面図である。
【図６】本実施の形態の照明器具１０００の機能ブロックを示す機能ブロック図である。
【図７】本実施の形態に係る照明器具１０００の分解斜視図である。
【図８】本実施の形態を示す照明器具１０００ａの断面図である。
【図９】図８に示す照明器具１０００ａの部分拡大図である。
【図１０】本実施の形態の反射ユニット２００ａを内側（天井面側）から見たときの上視図である。
【図１１】本実施の形態を示す照明器具１０００ｂの断面図である。
【図１２】図１１に示す照明器具１０００ｂの部分拡大図である。
【発明を実施するための形態】
【００１２】
実施の形態１．
図１は、本実施の形態を示す照明器具１０００の斜視図、図２は、図１の照明器具１０００を照射方向側から見たときの下視図、図３は、図２の照明器具１０００のＡ−Ａ断面を示すＡ−Ａ断面図、図４は、反射ユニット２００を反射部２１０の外側（天井面側）から見た上視図、図５は、（ａ）が図４に示すセンサユニット３００の正面図、（ｂ）がセンサユニット３００を短辺方向から見た側面図、（ｃ）（ｄ）がセンサユニット３００を長辺方向から見た側面図、（ｅ）がセンサユニット３００の背面を示す背面図、図６は、本実施の形態の照明器具１０００の機能ブロックを示す機能ブロック図、図７は、本実施の形態に係る照明器具１０００の分解斜視図である。
【００１３】
本実施の形態に係る照明器具１０００について、図１〜図７を用いて以下に説明する。本実施の形態の照明器具１０００は、例えば、天井面等に取り付けられるダウンライト等である。
【００１４】
図１は、照明器具１０００を光の照射方向側から見た斜視図である。図１に示すように、照明器具１０００は、器具本体ユニット１００と、器具本体ユニット１００に取り付けられる反射ユニット２００と、反射ユニット２００に取り付けられるセンサユニット３００とを備える。
【００１５】
器具本体ユニット１００は、光源（発光体）であるＬＥＤ１１０と、ＬＥＤ１１０を点灯する電源ユニット１２０と、ＬＥＤ１１０と電源ユニット１２０を収納する（取り付ける）とともに、ＬＥＤ１１０が発熱する熱を放熱する放熱部１３１を有する器具本体１３０と、照明器具１０００を天井面等の取付穴に係止する取付バネ１４０とを備える。
【００１６】
図２に示すように、ＬＥＤ１１０は、円形状に複数のＬＥＤ素子が配置された円形の光源である。ＬＥＤ１１０は、円形に限らず、四角形状、三角形状でもよい。また、ＬＥＤ１１０を構成するＬＥＤ素子は、複数でなくてもよい。また、ＬＥＤ１１０は光源（発光体）としてＬＥＤを用いているが、放電灯、蛍光灯、白熱灯等、他の光源でも構わない。
【００１７】
図３に示すように、電源ユニット１２０は、センサ制御回路部１２１と、点灯制御回路部１２２とを備える。電源ユニット１２０は、センサユニット３００へ電源を供給する。また、電源ユニット１２０のセンサ制御回路部１２１は、センサユニット３００からの検出信号及び制御信号を入力し、入力した検出信号及び制御信号に基づいてＬＥＤ１１０の点灯制御信号を出力する。点灯制御回路部１２２は、センサ制御回路部１２１が出力する点灯制御信号を入力し、入力した点灯制御信号に基づいて、ＬＥＤ１１０の点灯状態を制御する。
【００１８】
図１に戻り、反射ユニット２００は、反射部２１０と、枠部２２０と、センサ取付部２３０とを有する。
【００１９】
反射部２１０は、ＬＥＤ１１０の発する光を反射する。反射部２１０は、光の照射方向が開口している。この開口を反射部開口部２５０と呼び、反射部開口部２５０の周縁を周縁部２５１、周縁部２５１により形成される開口面を反射部開口面２５２と呼ぶものとする。
【００２０】
反射部２１０は、ＬＥＤ１１０を頂点部分とし、頂点部分（ＬＥＤ１１０）から反射部開口部２５０（周縁部２５１）にかけてスカート状に設けられている。反射部２１０は、ＬＥＤ１１０の発する光を反射して光の照射方向に照射する。ただし、本実施の形態の照明器具は、光の照射方向が開口している形状の反射部（反射板）であれば反射部はどのような形状でも適用可能である。
【００２１】
枠部２２０は、反射部２１０の端部（周縁部２５１）から外方に突出する枠状の部分である。照明器具１０００の器具本体１３０側が天井面の取付穴に挿入された場合に、枠部２２０の天井面側が天井面と当接するように形成される。
【００２２】
センサ取付部２３０は、後述するセンサユニット３００（センサ回路基板３３０（図３、図５参照））を取り付ける基板取付部である。センサ取付部２３０の一面（センサ取付部操作面２３１）は、枠部２２０の一面（あるいは、反射部開口面２５２）とほぼ同一面上となっている。図３では、センサ取付部操作面２３１は、反射部開口面２５２よりややＬＥＤ１１０側にあるように図示されているが、同一面上でも良い。
【００２３】
センサ取付部２３０は、反射部２１０の一部を変形して、反射部２１０と一体形成されている。センサ取付部２３０は、反射部２１０の周縁部２５１側の一部が、反射部２１０の内側に略箱形に突出して形成されている。
【００２４】
センサ取付部２３０の有する面のうち、反射部開口面２５２と略同一面上の面は、上述したセンサ取付部操作面２３１である。センサ取付部２３０の有する面のうち、反射部２１０の内側に反射部開口面２５２に対して略垂直（あるいは、略垂直よりもやや外側に広がる角度）に突出した面は、センサ取付部立接面２３２である（図３参照）。センサ取付部２３０の有する面のうち、センサ取付部立接面２３２の両側の面は、センサ取付部側面２３３，２３４である。センサ取付部２３０は、センサ取付部操作面２３１、センサ取付部立接面２３２、センサ取付部側面２３３，２３４により囲われた箱形状である。センサ取付部操作面２３１の１辺は、周縁部２５１に沿った略円弧形である（図２の太線部分）。
【００２５】
図３、図４に示すように、センサ取付部２３０のセンサ取付部操作面２３１に対向する部位の反射部２１０は開口しており、この開口をセンサ取付部開口２３８とする。後述するセンサユニット３００は、反射部２１０の外側（反射部２１０の裏側、反射部２１０の天井面側）からセンサ取付部開口２３８に挿入されて、センサ取付部２３０に取り付けられる。図３に示すように、センサ取付部２３０に後述するセンサユニット３００を取り付けた後、センサ取付部開口２３８に蓋をするようにセンサユニットカバー２４０が取り付けられる。センサユニット３００のセンサ取付部２３０への取付方法の詳細については後述する。
【００２６】
反射部２１０と、センサ取付部操作面２３１、センサ取付部立接面２３２、センサ取付部側面２３３，２３４は同じ素材により連続して形成されており、反射部２１０による光の反射性能を妨げないような構成となっている。センサ取付部２３０は、反射部２１０と一体形成されていてもよいし、別部品として構成されていてもよい。
【００２７】
図２、図３に示すように、センサ取付部操作面２３１の短辺方向の幅Ｌ３は、反射部開口面２５２の半径Ｌ４の約４分の１から約５分の１である。あるいは、Ｌ３は、反射部２１０の長さＬ６の約２分の１から約３分の１である。また、図２に示すように、センサ取付部操作面２３１の長辺方向の幅Ｌ５は、反射部開口面２５２の半径Ｌ４の約４分の３から約５分の４である。このような大きさとすることで、照明器具１０００の意匠性を損なわないように配慮されている。したがって、センサ取付部２３０は、センサ取付部２３０に取り付けるセンサ回路基板３３０の大きさが許す範囲であれは、できるだけ小さい方が好ましい。センサ取付部操作面２３１の長辺方向の幅Ｌ５は、反射部開口面２５２の半径Ｌ４の略２分の１、略３分の２でもよい。
【００２８】
図３に示すように、センサ取付部操作面２３１とＬＥＤ１１０との間の反射部２１０の幅Ｌ１と、センサ取付部立接面２３２の高さＬ２と、センサ取付部操作面２３１の幅Ｌ３とは、ほぼ同じになるように形成されている。このように形成することで、図２に示すように照明器具１０００を照射方向側から見た場合、センサ取付部操作面２３１とＬＥＤ１１０との間には、Ｌ１の幅の反射部２１０が存在し、反射部２１０の反射性能を妨げないようにしている。センサ取付部立接面２３２は、反射部開口面２５２に向かってやや開くように角度をもって形成されているので、反射部２１０の反射性能を妨げない。また、反射部２１０の反射性能を妨げないように形成するのであれば、Ｌ１，Ｌ２，Ｌ３の長さはほぼ同じでなくても構わない。
【００２９】
反射部開口面２５２が略円形ではない場合は、センサ取付部操作面のＬ３は、センサ取付部を形成する部分の反射部の長さＬ６’（図示なし）の約２分の１から約３分の１が好ましい。センサ取付部操作面は、真下から見た場合にセンサ取付部操作面が光源に掛からず、センサ取付部操作面と光源との間に反射部が存在するように形成するのが好ましい。
【００３０】
センサ取付部操作面２３１は、略台形状であり、下辺部分が周縁部２５１に沿った略円弧形である。センサ取付部操作面２３１は、長辺を周縁部２５１に沿った略円弧形とする略長方形、１辺を周縁部２５１に沿った略円弧形とする略正方形、円周の一部を周縁部２５１に沿った略円弧形とする略楕円形でもよい。また、反射部開口面２５２の一部を直線で切り取った弓形状でもよい。
【００３１】
センサ取付部操作面２３１が弓形の場合は、センサ取付部操作面２３１の両端部が周縁部２５１まで到達するとともに、センサ取付部立接面２３２の両端部が周縁部２５１まで到達するので、センサ取付部側面２３３，２３４は必要ない。
【００３２】
図５（ａ）は、センサユニット３００の正面図、図５（ｂ）は、センサユニット３００を短辺方向から見た側面図、図５（ｃ）、図５（ｄ）はセンサユニット３００を長辺方向から見た側面図、図５（ｅ）はセンサユニット３００の背面を示す背面図である。
【００３３】
センサユニット３００は、センサ３１０（センサ部）と、切替スイッチ３２１（センサ切替スイッチ）と、切替スイッチ３２２（時間切替スイッチ）と、センサ回路基板３３０と、コネクタ３４０とを備える。センサユニット３００は、センサ３１０（センサ部）と、切替スイッチ３２１と、切替スイッチ３２２と、コネクタ３４０とがセンサ回路基板３３０に実装された回路基板である。以下、センサユニット３００をセンサ回路基板３３０と呼ぶこともあるものとする。
【００３４】
センサ３１０は、例えば、人が存在するか否かを検出し、検出信号を出力する人感センサである。あるいは、部屋の明るさを検出する照度センサ等でもよい。
【００３５】
切替スイッチ３２１は、センサ３１０によって人を検知するときにＬＥＤ１１０を点灯させ、人を検知しないときにＬＥＤ１１０を消灯させる人感センサ機能を動作させるかさせないかを切り替えるためのスイッチである。操作者は、人感センサ機能を動作させる場合には、例えば、切替スイッチ３２１を「入」に操作する。また、操作者は、人感センサ機能を停止させる（動作させない）場合には、例えば、切替スイッチ３２１を「切」に操作する。
【００３６】
切替スイッチ３２２は、センサ３１０によって人を検知しなくなってから、ＬＥＤ１１０を消灯させるまでの時間（例えば、０分、５分、１０分）の設定を切り替えるものである。
【００３７】
切替スイッチ３２１と切替スイッチ３２２とを合わせて制御操作部３２０とする。制御操作部３２０の切替スイッチ３２１，３２２は、スライド式スイッチや、回転式スイッチ、ＤＩＰ（Ｄｕａｌ  Ｉｎ−ｌｉｎｅ  Ｐａｃｋａｇｅ）スイッチなどからなっており、この実施の形態においては、スライド式スイッチを用いている。また、センサユニット３００がセンサ取付部２３０に取り付けられる場合には、スライド式スイッチの摘み部にはスイッチカバー３２１ａ，３２２ａを設けている（図１、図７参照）。
【００３８】
コネクタ３４０は、センサユニット３００を電源ユニット１２０と接続する部品である。センサユニット３００は、コネクタ３４０を介して電源ユニット１２０から電源を供給する。あるいは、センサユニット３００は、コネクタ３４０を介して後述する検出信号や制御信号を電源ユニット１２０に送信する。
【００３９】
センサ回路基板３３０の形状及び大きさは、センサ取付部２３０のセンサ取付部操作面２３１の形状及び大きさに合わせて形成するのが好ましい。
【００４０】
図６は、本実施の形態の照明器具１０００の機能ブロックを示す機能ブロック図である。
【００４１】
電源ユニット１２０は、センサ制御回路部１２１、センサ制御回路部１２１と備える。センサ制御回路部１２１は、センサ３１０が出力する検出信号を入力するとともに、制御操作部３２０により設定され出力される制御信号を入力する。センサ３１０は、例えば人を検出した場合に検出信号を出力する。制御操作部３２０は、操作者により制御操作部３２０の切替スイッチ３２１，３２２が操作された場合に、対応する制御信号を出力する。
【００４２】
センサ制御回路部１２１は、入力した検出信号及び制御信号に基づいて、ＬＥＤ１１０を点灯または消灯する点灯制御信号を点灯制御回路部１２２に出力する。
【００４３】
例えば、制御操作部３２０の切替スイッチ３２１が人感センサ機能を動作させる状態（すなわち「入」）の場合に、センサ３１０が人を検知すると、センサ３１０は人を検知したことを示す検出信号をセンサ制御回路部１２１に出力し、ＬＥＤ１１０を点灯させる点灯制御信号を点灯制御回路部１２２に出力する。
【００４４】
また、例えば、センサ制御回路部１２１は、センサ３１０から検出信号が入力された後、所定の時間、センサ３１０から検出信号が入力されないとき、センサ３１０が人を検知しなくなって所定の時間が経過したと判断して点灯制御回路部１２２がＬＥＤ１１０を消灯させる点灯制御信号を出力する。このとき、制御操作部３２０の切替スイッチ３２２が、例えば、ＬＥＤ１１０を消灯させるまでの時間が５分で設定されている場合、センサ３１０が人を検知しなくなってから５分経過後に、ＬＥＤ１１０を消灯させる点灯制御信号を出力する。
【００４５】
点灯制御回路部１２２は、センサ制御回路部１２１から入力した点灯制御信号にしたがって、ＬＥＤ１１０を点灯または消灯させる。
【００４６】
図７は、本実施の形態に係る照明器具１０００の分解斜視図である。図７を用いて、照明器具１０００の組み立て工程について説明する。
【００４７】
（１）反射ユニット２００に器具本体１３０を取り付ける。器具本体１３０には、予め電源ユニット１２０が収納されている。
【００４８】
（２）反射ユニット２００のセンサ取付部２３０にスイッチカバー３２１ａ，３２２ａを挿入する。図４に示すように、センサ取付部２３０のセンサ取付部操作面２３１には、切替スイッチを光の照射方向側（操作者が操作する側）に突出させるための切替スイッチ用穴２３６，２３７が設けられている。スイッチカバー３２１ａ，３２２ａは、切替スイッチの摘み部分が操作者が操作する側（光の照射方向側）に突出するように、切替スイッチ用穴２３６，２３７に挿入される。
【００４９】
（３）センサ取付部２３０に、センサ取付部操作面２３１と略平行になるようにセンサユニット３００を挿入し、センサユニット３００と器具本体１３０に収納された電源ユニット１２０をコネクタ３４０（ハーネス）で接続する。
【００５０】
センサ３１０、切替スイッチ３２１，３２２、コネクタ３４０が実装されたセンサ回路基板３３０（センサユニット３００）は、実装面を光の照射方向側（操作者が操作する側）に向けて、センサ取付部操作面２３１と略平行になるようにセンサ取付部２３０に挿入される。センサ回路基板３３０の半田面は、天井面側に向く。センサ回路基板３３０は、反射部開口部２５０の周縁部２５１付近に、反射部開口面２５２と略平行となるように設置される（図１、図２参照）。
【００５１】
センサ３１０は、図４に示すセンサ取付部操作面２３１に設けられたセンサ用穴２３５に挿入され、センサ３１０の先端部分はセンサ取付部操作面２３１から光の照射方向に突出する。図１、図３等に示すように、センサ３１０はセンサ取付部操作面２３１から光の照射方向に露出して設置される。センサ３１０は、検知方向を光の照射方向側に向けて設置される。
【００５２】
切替スイッチ３２１，３２２は、摘み部（先端）をスイッチカバー３２１ａ，３２２ａに挿入しながら配置される。すなわち、操作者はスイッチカバー３２１ａ，３２２ａを介して切替スイッチ３２１，３２２の摘み部を操作することになる。
【００５３】
センサユニット３００のセンサ３１０及び制御操作部３２０（スイッチカバー３２１ａ，３２２ａ）は、反射ユニット２００の枠部２２０の内側から、ＬＥＤ１１０の照射軸方向に突出する。つまり、切替スイッチ３２１，３２２（制御操作部３２０）は、反射部開口部２５０の周縁部２５１付近にセンサ３１０と並んで配置される（図１、図２参照）。制御操作部３２０（切替スイッチ３２１，３２２）が、反射ユニット２００の反射部開口面２５２の正面に配置される。
【００５４】
（４）センサユニット３００をセンサ取付部２３０に挿入した後、センサユニットカバー２４０をセンサ取付部２３０に取り付けネジ止めする。センサユニットカバー２４０は、センサ取付部開口２３８に蓋をするように取り付けられる（図３、図４参照）。
【００５５】
以上のような工程により、センサユニット３００が反射ユニット２００のセンサ取付部２３０に取り付けられる。
【００５６】
図２に示すように、本実施の形態では、センサ取付部操作面２３１には、センサ３１０を中心として、その両側に切替スイッチ３２２と切替スイッチ３２１とが配置され、センサ３１０と切替スイッチ３２１，３２２とは１直線上に配置されている。センサ３１０、切替スイッチ３２１，３２２の配置は、１直線上に限られず、センサ取付部操作面２３１に配置されていれば、三角形の各頂点に配置してもよい。また、センサ３１０は複数配置しても良いし、切替スイッチ３２１，３２２も３つ以上配置しても良い。切替スイッチの数やセンサの数が増えれば、センサやスイッチを円形状・星形に配置しても良い。また、センサ３１０と切替スイッチ３２２と切替スイッチ３２１との配置の順番は、センサ３１０を中心としなくても、切替スイッチ３２１，３２２を隣同士にして配置しても良い。
【００５７】
以上のように、本実施のセンサ付照明器具は、天井などに埋め込まれて使用される照明器具であり、ＬＥＤ１１０等の光源が発する光を反射する反射部２１０と、反射部２１０の端部（周縁部２５１）に備えられ、天井面に接する枠部２２０とを備える反射ユニット２００と、反射ユニット２００の枠部２２０に接する反射部の部分（センサ取付部２３０）に収納されるセンサユニット３００とを備えており、センサユニット３００は、ＬＥＤ１００が発する光の照射軸方向と平行に設けられるセンサ３１０（センサ部）と、センサ３１０が検知するときの機能を切り替える制御操作部とからなり、センサ３１０と制御操作部とを略同一面上に配置する。
【００５８】
次に、本実施の形態の照明器具１０００におけるセンサユニット３００のセンサ制御情報の設定方法（操作方法）について説明する。
【００５９】
図１に示すように、反射ユニット２００の枠部２２０の内側（反射部開口面２５２）からＬＥＤ１１０の照射軸方向に切替スイッチカバー３２１ａ，３２２ａが突出している。切替スイッチカバー３２１ａ，３２２ａは、例えば、センサ取付部操作面２３１の長辺方向（図５参照）にスライド可能な状態となっている。切替スイッチカバー３２１ａ，３２２ａをスライドさせて切替スイッチ３２１，３２２を切り替えることができるようになっている。
【００６０】
センサユニット３００の切替スイッチ３２１，３２２が、反射ユニット２００の枠部２２０の内側（反射部開口面２５２）からＬＥＤ１１０の照射軸方向に突出しているので、ユーザー（操作者）が照明器具１０００の真下近傍から見上げたとき、切替スイッチ３２１，３２２がどの位置（どのような設定状態）になっているかを容易に確認できる。したがって、ユーザー（操作者）は、照明器具１０００の反射板の内部や天井の裏側に配置されている切替スイッチ３２１，３２２などの設定状態を確認するために、脚立などに登る必要がない。
【００６１】
以上のように、本実施の形態の照明器具によれば、照明器具の照射軸方向に略垂直な面に制御操作部３２０を備えているので、設定変更を容易にするとともに、目視確認を容易にすることができる。
【００６２】
また、センサユニット３００の切替スイッチ３２１，３２２は、反射ユニット２００の枠部２２０の内側に設けられたセンサ取付部操作面２３１に、センサ３１０と並んで配置され、センサ取付部操作面２３１からＬＥＤ１１０の照射軸方向に突出しているので、センサユニット３００のセンサ３１０と、制御操作部３２０（切替スイッチ３２１，３２２）とを同一のセンサ回路基板３３０に実装することができる。
【００６３】
本実施の形態の照明器具によれば、ＬＥＤ１１０を点灯させる点灯制御回路部１２２と、センサ３１０を駆動・制御させるセンサ制御回路部１２１を、１ユニットにまとめて、電源ユニット１２０を構成した（図３参照）。したがって、照明器具１０００の外形を小型化でき、センサ３１０を備えていない一般的な照明器具と外形のイメージをほぼ同じにすることができる。
【００６４】
なお、本実施の形態では、電源ユニット１２０が、センサ制御回路部１２１と、点灯制御回路部１２２とを備える一体型のユニットの場合について説明したが、センサ制御回路部１２１と、点灯制御回路部１２２とを分けて別ユニットとし、器具本体１３０にそれぞれ取り付ける構成としても良いし、器具本体１３０と反射ユニット２００とに分けて取り付ける構成としてもよい。
【００６５】
また、本実施の形態では、センサユニット３００がセンサ３１０（人感センサ）と、制御操作部３２０とを備える場合について説明したが、センサ３１０（人感センサ）に変えて、床面などの照度を検出する照度センサを用いてもよい。センサ３１０が照度センサである場合は、制御操作部３２０によって切り替えるモードは、床面などの照度の設定値などを切替設定するようにするとよい。つまり、操作者は制御操作部３２０を操作することによって、照度の設定値を１０００ｌｘ（ルクス）：７５０ｌｘ：５００ｌｘのいずれかに切り替えたり、照度センサを動作させる機能をオン／オフに切り替える。
【００６６】
また、本実施の形態では、光源にＬＥＤ（発光ダイオード）を用いる場合について説明したが、ＥＬ（エレクトロルミネッセンス）などを用いてもよい。
【００６７】
以上のように、本実施の形態に係る照明器具１０００では、反射ユニット２００の反射部開口部２５０の周縁部２５１に枠部２２０を設け、ＬＥＤ１１０の照射方向に平行になる向きでセンサ３１０（人感センサ）を配置し、制御操作部３２０も人感センサ３１０の近傍の同一面上に配置することができる。
【００６８】
また、本実施の形態に係る照明器具１０００では、制御操作部３２０とセンサ３１０が同一面にあることにより、１枚のセンサ回路基板３３０に制御操作部３２０とセンサ３１０を実装することが可能となり、製造コスト、部品コストが削減でき、また、組立性が向上する。
【００６９】
実施の形態２．
本実施の形態では、実施の形態１に示す照明器具１０００のセンサユニット３００を可動にする構成について説明する。本実施の形態において、実施の形態１と同様の構成については同じ符号を付し、その説明を省略する。
【００７０】
図８は、本実施の形態を示す照明器具１０００ａの断面図、図９は、図８に示す照明器具１０００ａの部分拡大図、図１０は、本実施の形態の反射ユニット２００を内側（天井面側）から見たときの上視図である。
【００７１】
照明器具１０００ａは、器具本体ユニット１００と、この器具本体ユニット１００に取り付けられる反射ユニット２００と、反射ユニット２００に取り付けられるセンサユニット３００とを備える。
【００７２】
反射ユニット２００は、ＬＥＤ１１０が発光する光を反射する反射部２１０と、反射部２１０の端部（反射部開口部２５０の周縁部２５１）から外方に突出する枠部２２０と、この枠部２２０の内側（周縁部２５１の反射部２１０内側近傍）に設けられるセンサ取付部２３０ａとを備える。
【００７３】
センサ取付部２３０ａのセンサ取付部操作面２３１は、枠部２２０の一面（反射部開口部２５０の周縁部２５１により形成される面、すなわち反射部開口面２５２）とほぼ同一面上となっている。図８では、センサ取付部操作面２３１は、反射部開口面２５２よりややＬＥＤ１１０側にあるように図示されているが、同一面上でも良い。
【００７４】
図９に示すように、センサ取付部２３０ａは、スライド片２９１ａ、ストッパー片２９２ａ，２９３ａ、バネ２９０を備えている。スライド片２９１ａは、センサユニット３００を光の照射方向とその逆方向（例えば、上下方向）にスライド可能に取り付ける。スライド片２９１ａは、例えば、図１０に示すように、１対のスライド片２９１ａは、１対のスライド片２９１ａの幅が、挿入されるセンサ回路基板３３０（点線）の幅と略同じ長さ（あるいはセンサ回路基板３３０（点線）の幅よりも少し長く）なるように形成されている。図１０では、１対のスライド片が２つ（スライド片２９１ａ、スライド片２９１ｂ）設置されており、センサ回路基板３３０を安定して光の照射方向とその逆方向（例えば、上下方向）スライドさせることができる。
【００７５】
ストッパー片２９２ａ，２９３ａは、センサユニット３００がスライドするスライド幅Ｌを規制する。センサユニット３００は、ストッパー片２９２ａ、２９３ａにより区切られたスライド幅Ｌの間をスライドする。ストッパー片は、下側のストッパー片２９２ａと上側のストッパー片２９３ａとからなる。センサユニット３００をセンサ取付部２３０ａに挿入する場合の組立性を考慮すると、上側のストッパー片２９３ａは、センサユニットカバー２４０ａに設けることが好ましい。下側ストッパー片２９２ａは、図１０に示すように、スライド片２９１ａ，２９１ｂと一体形成しても良いし、別部品として取り付けても良い。
【００７６】
バネ２９０は、センサユニット３００のセンサ回路基板３３０を光の照射方向に押す。したがって、センサ３１０に外部圧力が加わっていない場合には、センサ３１０は反射部開口面２５２から所定の長さｍ（例えば、１〜２ｍｍほど）突出して安定する。そして、例えば、光の照射方向側からセンサ３１０に外部圧力が加わると、つまり、センサ３１０の先端にＰ方向に外部圧力を加えると、センサユニット３００によりバネ２９０が押されて縮まり、センサ３１０の先端が反射部開口面２５２よりも奥に移動する。本実施の形態のセンサ取付部２３０ａは、センサユニット３００（センサ回路基板３３０）を光の照射方向及び天井面方向（すなわち、上下方向）にスライド可能に取り付ける。つまり、センサユニット３００が、反射ユニット２００内にスライドする。
【００７７】
センサ３１０は、センサ３１０（人感センサ）が検知できるエリアを充分に保つため、枠部２２０（反射ユニット２００の端部）より突出した状態で実装されている。すなわち、センサ３１０は反射部開口面２５２から（枠部２２０）から１〜２ｍｍほど飛び出している状態で設置されている。そのため、例えば、作業者が反射部開口部２５０を下にして照明器具を台に置く等により、突出しているセンサ３１０に外部圧力が加わるとセンサ３１０（センサユニット３００）が直接押されてしまう恐れがある。このように、センサ３１０（センサユニット３００）に必要以上の力が加わった場合、センサ取付部のセンサユニットカバーやセンサ回路基板などが破壊される恐れがある。
【００７８】
センサユニット３００のセンサ回路基板３３０の裏面（はんだ面）にバネ２９０などを設けているので、センサ３１０に外部圧力が加わってもセンサ３１０（センサユニット３００）がバネ２９０によって、枠部２２０（反射部開口面２５２）の内側に引っ込む構造にすることができ、センサ３１０の破損を防ぐことができる。
【００７９】
なお、本実施の形態ではバネ２９０を用いる構成について説明したが、バネ２９０に代えて天然ゴムや弾性樹脂やクッション材などの弾性体を用いてもよい。
【００８０】
センサ取付部２３０ａは、反射ユニット２００（反射枠（枠部２２０））と一体に形成されている（構成されている）ことなく、別体とする構成でもよい。センサ取付部２３０ａを反射ユニット２００と別体とする場合、センサ３１０（センサ回路基板３３０）を可動としてもよいし、別体としたセンサ取付部２３０ａ自体を可動とする構成としてもよい。
【００８１】
実施の形態３．
本実施の形態は、実施の形態１に示す照明器具のセンサ取付部２３０の形状を変更したものである。本実施の形態において、実施の形態１と同様の構成については同じ符号を付し、その説明を省略する。
【００８２】
図１１は、本実施の形態を示す照明器具１０００ｂの断面図であり、図１２は、図１１に示す照明器具１０００ｂの部分拡大図である。
【００８３】
照明器具１０００ｂは、器具本体ユニット１００と、この器具本体ユニット１００に取り付けられる反射ユニット２００ｂと、反射ユニット２００ｂに取り付けられるセンサユニット３００とを備える。
【００８４】
反射ユニット２００ｂは、ＬＥＤ１１０が発光する光を反射する反射部２１０と、反射部２１０の端部（周縁部２５１）から外方に突出する枠部２２０と、枠部２２０の内側の周縁部２５１近傍に設けられるセンサ取付部２３０ｂとを備える。
【００８５】
センサ取付部２３０ｂのセンサ取付部操作面２３１ｂは、枠部２２０の一面（反射部開口面２５２と同一面）から反射ユニット２００ｂの奥側（ＬＥＤ１１０側）に一段下がった位置に反射部開口面２５２と略平行に形成されている（図１２参照）。
【００８６】
図１２に示すように、センサ取付部２３０ｂのセンサ取付部操作面２３１ｂは、反射部開口面２５２から長さｋだけＬＥＤ１１０側に形成される。これにより、反射ユニット２００ｂには、センサ取付部２３０ｂが形成されている部分の周縁部２５１からセンサ取付部操作面２３１ｂまでの枠段差部２２８（段差ｋ）が形成される。
【００８７】
枠段差部２２８の段差ｋは、センサ３１０がセンサ取付部操作面２３１ｂから突出する長さと略同一あるいはそれよりもやや長く形成される。これにより、センサ取付部２３０ｂにセンサユニット３００が収納されるとき、センサ３１０の先端部が、枠部２２０の周縁部２５１（あるいは、反射部開口面２５２）よりも突出しないようにしている。
【００８８】
以上のように、センサ３１０が配置された周りの枠部２２０を、センサ３１０が突出した部分より高くすることにより、センサ３１０の先端部と枠部２２０（あるいは反射部開口面２５２）との間に隙間ができる。このため、例えば、作業者が枠部２２０を下向きにして、照明器具１０００ｂを床や机上などに置いたときにも、センサ３１０に外部圧力が加わりにくい構造となり、センサ３１０の破損を防ぐことができる。
【００８９】
本実施の形態では、センサ取付部２３０ｂを反射ユニット２００ｂ（反射枠（枠部２２０））と一体的に形成する場合について説明したが、センサ取付部２３０ｂを反射枠（枠部２２０）と別体として形成してもよい。
【００９０】
以上、実施の形態１〜３について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００９１】
１００  器具本体ユニット、１１０  ＬＥＤ、１２０  電源ユニット、１２１  センサ制御回路部、１２２  点灯制御回路部、１３０  器具本体、１３１  放熱部、１４０  取付バネ、２００，２００ａ，２００ｂ  反射ユニット、２１０  反射部、２２０  枠部、２２８  枠段差部、２３０，２３０ａ，２３０ｂ  センサ取付部、２３１，２３１ａ，２３１ｂ  センサ取付部操作面、２３２  センサ取付部立接面、２３３，２３４  センサ取付部側面、２３５  センサ用穴、２３６，２３７  切替スイッチ用穴、２３８  センサ取付部開口、２４０  センサユニットカバー、２５０  反射部開口部、２５１  周縁部、２５２  反射部開口面、２９１ａ，２９１ｂ  スライド片、２９２ａ，２９３ａ  ストッパー片、２９０  バネ、３００  センサユニット、３１０  センサ、３２０  制御操作部、３３０  センサ回路基板、３２１，３２２  切替スイッチ、３２１ａ，３２２ａ  スイッチカバー、３４０  コネクタ、１０００，１０００ａ，１０００ｂ  照明器具。
【図１】
0005951725.tif 000002
【図２】
0005951725.tif 000003
【図３】
0005951725.tif 000004
【図４】
0005951725.tif 000005
【図５】
0005951725.tif 000006
【図６】
0005951725.tif 000007
【図７】
0005951725.tif 000008
【図８】
0005951725.tif 000009
【図９】
0005951725.tif 000010
【図１０】
0005951725.tif 000011
【図１１】
0005951725.tif 000012
【図１２】
0005951725.tif 000013